(57)【要約】【課題】  コマーシャルの検出ができない場合、または、コマーシャルを検出する精度が悪い場合でも、放送番組が記録された記録媒体から、コマーシャルが正確にカットされた放送番組を再生することができる記録再生装置を提供する。【解決手段】  受信した放送番組の映像信号からテレシネ映像信号を検出するテレシネ信号検出部と、受信した放送番組のオーディオ信号からステレオ信号を検出するステレオ信号検出部と、テレシネ信号検出部またはステレオ信号検出部を検出した開始及び停止位置にチャプターを設定するチャプター設定部と、チャプターが設定された放送番組の映像信号及びオーディオ信号を記録する記録部と、記録部に記録された放送番組の映像信号及びオーディオ信号をチャプター単位で再生する再生部とを備える。【選択図】  図１
2006270502.tif 000002
【特許請求の範囲】
【請求項１】
放送番組の映像信号及びオーディオ信号を受信する受信部と、
前記受信部が受信した映像信号がテレシネ変換されたテレシネ映像信号であることを検出するテレシネ信号検出部と、
前記受信部が受信したオーディオ信号がステレオ信号であることを検出するステレオ信号検出部と、
前記テレシネ信号検出部がテレシネ映像信号の検出の開始及び停止位置または前記ステレオ信号検出部がステレオ信号の検出の開始及び停止位置において放送番組を区切るチャプターを設定するチャプター設定部と、
前記チャプター設定部によりチャプターが設定された映像信号及びオーディオ信号を記録する記録部と、
前記記録部に記録された映像信号及びオーディオ信号をチャプター単位で再生する再生部とを備えることを特徴とする記録再生装置。
【請求項２】
請求項１に記載の記録再生装置において、
前記チャプター設定部により設定されたチャプターを指定する指定部と、
前記記録部に前記指定部により指定されたチャプターの映像信号及びオーディオ信号を削除する制御をする制御部を備えることを特徴とする記録再生装置。
【発明の詳細な説明】
【技術分野】
【０００１】
本発明は、受信した放送番組の映像信号及びオーディオ信号を記録媒体に記録し再生する記録再生装置に関する。
【背景技術】
【０００２】
テレビ放送局から送信された放送番組情報を受信し、受信した放送番組の映像信号及びオーディオ信号を記録し再生する記録再生装置がある。この記録再生装置は、受信した放送番組の映像信号及びオーディオ信号をHD（Hard Disk）などの記録媒体に記録し、記録媒体に記録された映像信号及びオーディオ信号を再生する。
【０００３】
このような記録再生装置において、受信した放送番組に挿入されているコマーシャル部分を検出し、放送番組本編のみを記録することができる装置がある（例えば、特許文献１、特許文献２参照）。
【０００４】
特許文献１に開示された装置は、放送番組が映画である場合、受信した放送番組の映像信号から、２−３プルダウン方式により映画等のフィルム映像信号をテレビ映像信号に変換したテレシネ映像信号を検出する。放送番組が映画であるときの映像信号はテレシネ映像信号であるため、特許文献１に開示された装置は、テレシネ映像信号を検出しない間に受信した信号をコマーシャル部分であると判別し、コマーシャル部分がカットされた放送番組を記録媒体に記録することができる。
【０００５】
特許文献２に開示された装置は、受信した放送番組のオーディオ信号から、ステレオオーディオ信号を検出する。一般にコマーシャル部分のオーディオ信号はステレオオーディオ信号であるため、特許文献２に開示された装置は、オーディオ信号がステレオオーディオ信号に切り替わったことを検出すると受信した信号をコマーシャル部分であると判別し、コマーシャル部分がカットされた放送番組を記録媒体に記録することができる。
【０００６】
【特許文献１】特開平１０−３１３４４０号公報
【特許文献２】特開平５−２５０７６２号公報
【発明の開示】
【発明が解決しようとする課題】
【０００７】
特許文献１に開示された装置において、放送番組が映画以外である場合では、テレシネ映像信号を検出することができないため、、コマーシャル及び放送番組本編の両方の映像信号及びオーディオ信号が記録媒体に記録されてしまう。また、テレシネ映像信号を検出する精度が悪いと、放送番組本編の一部分の映像信号及びオーディオ信号が記録媒体に記録されない虞がある。
【０００８】
特許文献２に開示された装置においても、放送番組本編がステレオ放送である場合では、放送番組本編からコマーシャルに切り替わっても、ステレオオーディオ信号の切り替わり位置を検出することができないため、コマーシャル及び放送番組本編の両方の映像信号及びオーディオ信号が記録媒体に記録されてしまう。また、ステレオオーディオ信号の切り替わり位置を検出する精度が悪いと、放送番組本編の一部分の映像信号及びオーディオ信号が記録媒体に記録されない虞がある。
【０００９】
したがって、ユーザは、記録媒体に記録された放送番組を再生するとき、コマーシャル部分が正確にカットされた放送番組を視聴することができないという問題がある。
【００１０】
本発明は、上述の課題を解決するためになされたものであり、コマーシャル部分の検出ができない場合、または、コマーシャル部分を検出する精度が悪い場合でも、コマーシャル部分が正確にカットされた放送番組を再生することができる記録再生装置を提供することを目的とする。
【課題を解決するための手段】
【００１１】
上記の課題を解決するために、本願の請求項１に記載の発明は、放送番組の映像信号及びオーディオ信号を受信する受信部と、前記受信部が受信した映像信号がテレシネ変換されたテレシネ映像信号であることを検出するテレシネ信号検出部と、前記受信部が受信したオーディオ信号がステレオ信号であることを検出するステレオ信号検出部と、前記テレシネ信号検出部がテレシネ映像信号の検出の開始及び停止位置または前記ステレオ信号検出部がステレオ信号の検出の開始及び停止位置において放送番組を区切るチャプターを設定するチャプター設定部と、前記チャプター設定部によりチャプターが設定された映像信号及びオーディオ信号を記録する記録部と、前記記録部に記録された映像信号及びオーディオ信号をチャプター単位で再生する再生部とを備えることを特徴とする。
【００１２】
また、本願の請求項２に記載の発明は、請求項１に記載の記録再生装置において、前記チャプター設定部により設定されたチャプターを指定する指定部と、前記記録部に前記指定部により指定されたチャプターの映像信号及びオーディオ信号を削除する制御をする制御部を備えることを特徴とする。
【発明の効果】
【００１３】
本発明によれば、コマーシャル部分の検出ができない場合、または、コマーシャル部分を検出する精度が悪い場合でも、コマーシャル部分が正確にカットされた放送番組を再生することができる記録再生装置を提供することができる。
【発明を実施するための最良の形態】
【００１４】
以下、本発明の実施の形態を図面に基づいて説明する。
図１は、本発明の一実施例である記録再生装置の構成を示すブロック図である。
図１において、１は受信部、２は映像信号処理部、３はオーディオ信号処理部、４はMPEG（Moving Picture Experts Group）エンコード部、５は記録再生部、６はMPEGデコード部、７は映像信号処理部、８はオーディオ信号処理部、９はステレオ信号検出部、１０はテレシネ信号検出部、１１は操作部、１２は制御部、１３はチャプター設定部を示す。
【００１５】
図１に示す受信部１は、放送番組情報のRF（Radio Frequency）信号を受信する。受信部１は、RF信号から復調した映像信号を映像信号処理部２に出力する。また、受信部１は、RF信号から復調したオーディオ信号をオーディオ信号処理部３に出力する。映像信号処理部２は、入力された映像信号をデジタル信号に変換し、NTSC（National Television Standards Committee）方式のデジタル映像信号に復調する。映像信号処理部２は、復調したデジタル映像信号をMPEGエンコード部４に出力する。
【００１６】
オーディオ信号処理部３は、入力されたオーディオ信号に重畳されたパイロット信号を取り出しステレオ信号検出部９に出力する。また、オーディオ信号処理部３は、入力されたオーディオ信号をデジタルオーディオ信号に変換し、MPEGエンコード部４に出力する。MPEGエンコード部４は、デジタル映像信号及びデジタルオーディオ信号をMPEG方式の圧縮アルゴリズムにより圧縮する処理を施す。
【００１７】
記録再生部５は、HD等の記録媒体を備え、MPEGエンコード部４によりMPEG方式で圧縮されたデジタル映像信号及びデジタルオーディオ信号を記録媒体に記録する。また、記録再生部５は、制御部１２の制御により記録媒体に記録されたデジタル映像信号及びデジタルオーディオ信号を再生しMPEGデコード部６に出力する。
【００１８】
MPEGデコード部６は、記録再生部４から入力されたデジタル映像信号及びデジタルオーディオ信号をMPEG方式の伸長アルゴリズムにより伸長する処理を施す。伸長処理されたデジタル映像信号は、映像信号処理７に出力され、伸長処理されたデジタルオーディオ信号は、オーディオ信号処理部８に出力される。
【００１９】
映像信号処理部７は、デジタル映像信号をアナログ信号に変換し、エンファシス等の処理をする。オーディオ信号処理部８はデジタルオーディオ信号をアナログ信号に変換し、増幅等の処理をする。アナログ信号に変換された映像信号及びオーディオ信号は、出力端子に接続された図示しない表示装置及びスピーカから出力される。
【００２０】
ステレオ信号検出部９は、オーディオ信号処理部３から入力されたパイロット信号（ステレオ、モノラル、音声多重等の形式のオーディオ信号を示す信号）から、受信したオーディオ信号がステレオ信号であるか否かを検出する。ステレオ信号検出部９は、オーディオ信号がステレオ信号であることを検出すると、制御部１２に第１検出信号を出力する。
【００２１】
一般にコマーシャル部分のオーディオ信号はステレオオーディオ信号であるため、制御部１２は、ステレオ信号検出部９から第１検出信号が入力されているとき、受信部１により受信された放送番組情報がコマーシャルであることを判別することができる。また、制御部１２は、ステレオ信号検出部９から第１検出信号の入力が停止すると、受信部１により受信された放送番組情報が放送番組本編であることを判別することができる。
【００２２】
テレシネ信号検出部１０は、後述するように１フレーム遅延部及びフィールド比較部を備え、映像信号処理部２から出力されたデジタル映像信号が入力される。テレシネ信号検出部１０は、入力されたデジタル映像信号がテレシネ変換されたテレシネ映像信号であるか否かを検出する。テレシネ信号検出部１０は、映像信号がテレシネ映像信号であることを検出すると、制御部１２に第２検出信号を出力する。
【００２３】
操作部１１は、記録媒体に記録された放送番組情報の再生ボタン、再生停止ボタン、チャプターを指定する指定ボタン、チャプターをスキップするスキップボタンなどの本実施例の記録再生装置を操作するための操作ボタンを備える。
【００２４】
制御部１２は、操作部１１の操作指示に応じて、放送番組情報の記録、記録部に記録された放送番組情報の再生等の装置全体を制御する。また、制御部１２は、第１検出信号及び第２検出信号が入力されると、チャプター設定部１３を制御する。
【００２５】
チャプター設定部１３は、制御部１２の制御により、記録再生部５に記録中の放送番組を区切るチャプターを設定する。チャプター設定部１３により設定されたチャプター設定情報は、チャプターが設定された放送番組情報（圧縮されたデジタル映像信号及びデジタルオーディオ信号）と共に記録再生部５に記録される。
【００２６】
次に、テレシネ変換について説明する。
映画などのフィルム映像は、１秒間に２４コマの映像から構成されるのに対して、NTSC方式のテレビ映像は、１秒間に３０フレーム（６０フィールド）の映像から構成される。このため、フィルム映像をテレビ映像に変換するためには、２４コマの映像を３０フレームの映像に変換する必要がある。このような変換をテレシネ変換といい、本実施例では、テレシネ変換された映像信号をテレシネ映像信号という。このように、毎秒２４コマの映像を毎秒３０フレームの映像にテレシネ変換する方法として、従来より２−３プルダウン方法がある。図２は、２−３プルダウン方法によるテレシネ変換を説明する図である。
【００２７】
図２において、テレシネ映像信号のフレーム１の奇数フィールド１及び偶数フィールド１は、フィルム映像の１コマ目の映像から生成される。テレシネ映像信号のフレーム２の奇数フィールド２及び偶数フィールド２は、フィルム映像の２コマ目の映像から生成される。
【００２８】
次に、テレシネ映像信号のフレーム３の奇数フィールド３は、フレーム２の奇数フィールド２と同様に、フィルム映像の２コマ目の映像から生成される。つまり、フレーム３の奇数フィールド３は、フレーム２の奇数フィールド２と同じものとなる。そして、テレシネ映像信号のフレーム３の偶数フィールド３は、フィルム映像の３コマ目の映像から生成される。
【００２９】
テレシネ映像信号のフレーム４の奇数フィールド４は、フィルム映像の３コマ目の映像から生成される。テレシネ映像信号のフレーム４の偶数フィールド４は、フィルム映像の４コマ目の映像から生成される。
【００３０】
テレシネ映像信号のフレーム５の奇数フィールド５は、フィルム映像の４コマ目の映像から生成される。テレシネ映像信号のフレーム５の偶数フィールド５は、フレーム４の偶数フィールド４と同様に、フィルム映像の４コマ目の映像から生成される。つまり、フレーム５の偶数フィールド５は、フレーム４の偶数フィールド４と同じものとなる。
【００３１】
前述の２−３プルダウン方法によるテレシネ変換されたテレシネ映像信号の放送番組情報が受信部１により受信され、テレシネ信号検出部１０にテレシネ映像信号が入力されると、テレシネ信号検出部１０は、映像信号がテレシネ映像信号であることを検出する。
【００３２】
図３は、本実施例の記録再生装置が備えるテレシネ信号検出部１０の構成を示すブロック図である。図３に示すように、テレシネ信号検出部１０は、１フレーム遅延部２１及びフィールド比較部２２を備える。映像信号処理部２から出力されたデジタル映像信号は、１フレーム遅延部２１及びフィールド比較部２２に入力される。１フレーム遅延部２１は、入力されたデジタル映像信号を１フレーム遅延させ、フィールド比較部２２に出力される。
【００３３】
フィールド比較部２２は、映像信号処理部２から入力されたデジタル映像信号と、１フレーム遅延部２１により１フレーム遅延された当該デジタル映像信号を比較する。フィールド比較部２２は、１フレーム毎に奇数フィールド及び偶数フィールドの映像信号を比較し、奇数フィールドまたは偶数フィールドの映像信号が一致するか否かを検出する。
【００３４】
図２に示すテレシネ映像信号において、フレーム２の奇数フィールド２とフレーム３の奇数フィールド３は同じ映像信号であり、フレーム４の偶数フィールド４とフレーム５の偶数フィールド５は同じ映像信号である。このため、映像信号処理部２から入力されたデジタル映像信号と１フレーム遅延された当該デジタル信号を比較すると、１フレーム間隔で奇数フィールドまたは偶数フィールドの映像信号が一致する。このように、フィールド比較部２２は、規則的に映像信号が一致していることを検出すると、映像信号がテレシネ映像信号であることを検出し、制御部１２に第２検出信号を出力する。これに対し、テレシネ変換されていないデジタル映像信号は、規則的に映像信号が一致することがないので、例えば、２フレーム連続して奇数フィールドまたは偶数フィールドの映像信号が一致しない場合、フィールド比較部２２は、制御部１２に第２検出信号の出力を停止する。
【００３５】
したがって、制御部１２は、テレシネ信号検出部１０から第２検出信号が入力されているとき、受信部１により受信された放送番組情報がテレシネ変換された映画等の放送番組本編であることを判別することができ、第２検出信号の入力が停止すると、受信部１により受信された放送番組情報がコマーシャル部分であることを判別することができる。また、上述したように、制御部１２は、ステレオ信号検出部９から第１検出信号が入力されているとき、受信部１により受信された放送番組情報がコマーシャル部分であることを判別することができ、第１検出信号の入力が停止すると、受信部１により受信された放送番組情報が放送番組本編であることを判別することができる。
【００３６】
図４は、制御部１２による放送番組本編とコマーシャルの判別を説明する図である。図４（ａ）において、制御部１２は、ステレオ信号検出部９から第１検出信号が入力されている間、放送番組情報がコマーシャルであることを判別する。制御部１２は、第１検出信号の入力が開始されると、記録再生部５に記録中の放送番組を区切るチャプターを設定するようにチャプター設定部１３を制御する。また、制御部１２は、第１検出信号の入力が停止すると、記録再生部５に記録中の放送番組を区切るチャプターを設定するようにチャプター設定部１３を制御する。
【００３７】
図４（ｂ）において、制御部１２は、テレシネ信号検出部１０から第２検出信号が入力されている間、放送番組情報が放送番組本編であることを判別する。制御部１２は、第２検出信号の入力が開始すると、記録再生部５に記録中の放送番組を区切るチャプターを設定するようにチャプター設定部１３を制御する。また、制御部１２は、第２検出信号の入力が停止すると、記録再生部５に記録中の放送番組を区切るチャプターを設定するようにチャプター設定部１３を制御する。
【００３８】
このようにして、第１検出信号及び第２検出信号に基づいて設定されたチャプターの位置は、放送番組本編とコマーシャルの切替え時と一致するが、ステレオ信号検出部９及びテレシネ信号検出部１０の検出精度によりコマーシャルの切替え時と一致しない場合も考えられる。このよう場合、本実施例の記録再生装置は、ユーザが放送番組を視聴しながら、チャプターの位置とコマーシャル部分の切替え時が一致していないチャプターの位置を変更する操作を操作部１１から行なうことができるようにする。
【００３９】
チャプター設定部１３は、制御部１２の制御により、記録再生部５に記録中の放送番組を区切るチャプターを設定する。チャプター設定部１３により設定されたチャプター設定情報は、チャプターが設定された放送番組情報と共に記録再生部５に記録される。このため、記録再生部５には、チャプターが設定された放送番組情報が記録される。
【００４０】
ユーザが記録再生部５から再生された放送番組を視聴しているとき、操作部１１からチャプターをスキップする操作をすると、制御部１２は、次のチャプターの再生を開始するように記録再生部５を制御する。このため、ユーザは、記録再生部５から再生した放送番組を視聴しているとき、放送番組本編からコマーシャルに切り替ると、操作部１１からチャプターをスキップする操作をすることにより、コマーシャルのチャプターをスキップし、放送番組本編のチャプターに移り、放送番組本編の再生を開始することができる。
【００４１】
また、制御部１２は、操作部１１からチャプターを指定し、指定したチャプターを削除する操作がされると、記録再生部５に指定されたチャプター削除する制御をする。このため、ユーザは、操作部１１からコマーシャルのチャプターを指定し削除する操作をすることにより、記録再生部５に記録された放送番組情報からコマーシャルを削除することができる。
【００４２】
上述したように、本実施例の記録再生装置によれば、ユーザは、記録再生部に記録された放送番組を再生するとき、コマーシャル部分を視聴することなく、放送番組本編のみを視聴することができる。
【図面の簡単な説明】
【００４３】
【図１】本実施例である記録再生装置の構成を示すブロック図。
【図２】２−３プルダウン方法によるテレシネ変換を説明する図。
【図３】テレシネ信号検出部の構成を示すブロック図。
【図４】放送番組本編とコマーシャルの判別を説明する図。
【符号の説明】
【００４４】
１…受信部、２…映像信号処理部、３…オーディオ信号処理部、４…MPEGエンコード部、５…記録再生部、６…MPEGデコード部、７…映像信号処理部、８…オーディオ信号処理部、９…ステレオ信号検出部、１０…テレシネ信号検出部、１１…操作部、１２…制御部、１３…チャプター設定部
【図１】
2006270502.tif 000003
【図２】
2006270502.tif 000004
【図３】
2006270502.tif 000005
【図４】
2006270502.tif 000006